(57)【要約】【課題】防振ブッシュ及びその製造方法において、金型を型締めしやすくするとともに、ゴム弾性体に予圧縮を十分に付与する。【解決手段】防振ブッシュ１は、内筒体１１と、内筒体１１の周囲にこれと同軸に設けられた外筒体１２と、両筒体１１，１２の間に設けられたゴム弾性体１３と、ゴム弾性体１３に埋設されているとともに、筒径方向に互いに対向しかつ筒周方向に延びるようにそれぞれ配置された一対の中間本体部１４ａ，１４ａを有する中間体１４とを備える。中間体１４は、両中間本体部１４ａ，１４ａの、筒周方向に相隣り合う筒周方向端縁部の間に筒周方向に延びるようにそれぞれ架設された架橋部１４ｂを有する。外側ゴム弾性体１３ａには、各架橋部１４ｂに対応する部分に外側孔部１３ｂがそれぞれ形成される。各架橋部１４ｂは、外筒体１２が筒径方向内側に絞られることにより、各架橋部１４ｂに対応する各外側孔部１３ｂ側に突出するように折れ曲がる。【選択図】図１
2009002493.tif 000002
【特許請求の範囲】
【請求項１】
内筒体と、該内筒体の周囲にこれと同軸に設けられた外筒体と、該両筒体の間に設けられたゴム弾性体と、該ゴム弾性体に埋設されているとともに、筒径方向に互いに対向しかつ筒周方向に延びるようにそれぞれ配置された一対の中間本体部を有する中間体とを備えた防振ブッシュであって、
上記中間体は、上記両中間本体部の、筒周方向に相隣り合う筒周方向端縁部の間に筒周方向に延びるようにそれぞれ架設された架橋部をさらに有しており、
上記ゴム弾性体の上記中間体よりも筒径方向外側部分には、上記各架橋部に対応する部分に外側孔部がそれぞれ形成されており、
上記各架橋部は、上記外筒体が筒径方向内側に絞られることにより、該各架橋部に対応する各外側孔部側に突出するように折れ曲がっていることを特徴とする防振ブッシュ。
【請求項２】
請求項１記載の防振ブッシュにおいて、
上記架橋部は、上記両中間本体部の、筒周方向に相隣り合う筒周方向端縁部の筒軸方向両端部の間にそれぞれ架設されていることを特徴とする防振ブッシュ。
【請求項３】
請求項１又は２記載の防振ブッシュにおいて、
上記ゴム弾性体の上記中間体よりも筒径方向内側部分には、上記各架橋部に対応する部分に内側孔部がそれぞれ形成されていることを特徴とする防振ブッシュ。
【請求項４】
内筒体と、該内筒体の周囲にこれと同軸に設けられた外筒体と、該両筒体の間に設けられたゴム弾性体と、該ゴム弾性体に筒径方向に互いに対向しかつ筒周方向に延びるようにそれぞれ埋設された一対の中間本体部を有する中間体とを備えた防振ブッシュの製造方法であって、
上記中間体として、上記両中間本体部に加えて、該両中間本体部の、筒周方向に相隣り合う筒周方向端縁部の間に筒周方向に延びるようにそれぞれ架設された架橋部をさらに有するものを用意し、
金型に上記内筒体、上記中間体、及び上記外筒体をそれぞれセットした状態で上記中間体よりも筒径方向外側部分における上記各架橋部に対応する部分に外側孔部を有するゴム弾性体を加硫成形し、
上記外筒体を筒径方向内側に絞ることにより、上記各架橋部を該各架橋部に対応する各外側孔部側に突出するように折り曲げることを特徴とする防振ブッシュの製造方法。
【発明の詳細な説明】
【技術分野】
【０００１】
本発明は、防振ブッシュ及びその製造方法に関するものである。
【背景技術】
【０００２】
従来から、自動車のサスペンションブッシュ等に利用される防振ブッシュが知られている。特許文献１に示す防振ブッシュは、内筒体と、この内筒体の周囲にこれと同軸に設けられた外筒体と、両筒体の間に設けられたゴム弾性体と、このゴム弾性体に筒径方向に互いに対向しかつ筒周方向に延びるようにそれぞれ埋設された一対の中間板とを備えている。
【特許文献１】特許第３０７９１５４号公報
【発明の開示】
【発明が解決しようとする課題】
【０００３】
特許文献１に示す防振ブッシュは、一般に、金型に内筒体、外筒体及び中間板をそれぞれセットした状態でゴム弾性体を加硫成形することにより製造されるが、中間板はその構造上金型内で倒れやすく、金型を型締めしにくいという問題があった。
【０００４】
また、防振ブッシュでは、耐久性の向上の観点から、ゴム弾性体に予圧縮を十分に付与したいという要望がある。
【０００５】
本発明は、かかる点に鑑みてなされたものであり、その目的とするところは、金型を型締めしやすくするとともに、ゴム弾性体に予圧縮を十分に付与することにある。
【課題を解決するための手段】
【０００６】
第１の発明は、内筒体と、該内筒体の周囲にこれと同軸に設けられた外筒体と、該両筒体の間に設けられたゴム弾性体と、該ゴム弾性体に埋設されているとともに、筒径方向に互いに対向しかつ筒周方向に延びるようにそれぞれ配置された一対の中間本体部を有する中間体とを備えた防振ブッシュであって、上記中間体は、上記両中間本体部の、筒周方向に相隣り合う筒周方向端縁部の間に筒周方向に延びるようにそれぞれ架設された架橋部をさらに有しており、上記ゴム弾性体の上記中間体よりも筒径方向外側部分には、上記各架橋部に対応する部分に外側孔部がそれぞれ形成されており、上記各架橋部は、上記外筒体が筒径方向内側に絞られることにより、該各架橋部に対応する各外側孔部側に突出するように折れ曲がっていることを特徴とするものである。
【０００７】
これにより、中間体の両中間本体部の、筒周方向に相隣り合う筒周方向端縁部の間に架橋部を筒周方向に延びるようにそれぞれ架設しているので、中間体が筒軸方向の一部にて筒周方向全体に亘って繋がる。このため、中間体が金型内で倒れにくくなり、金型を型締めしやすくなる。
【０００８】
また、外筒体を筒径方向内側に絞ることにより、ゴム弾性体の中間体よりも筒径方向外側部分に予圧縮を十分に付与できる。さらに、外筒体を筒径方向内側に絞ることにより、中間体の各架橋部を該各架橋部に対応する各外側孔部側に突出するように折り曲げると、中間体の各中間本体部が筒径方向内側に移動し、ゴム弾性体の中間体よりも筒径方向内側部分に予圧縮を十分に付与できる。以上から、ゴム弾性体に予圧縮を十分に付与できる。
【０００９】
第２の発明は、上記第１の発明において、上記架橋部は、上記両中間本体部の、筒周方向に相隣り合う筒周方向端縁部の筒軸方向両端部の間にそれぞれ架設されていることを特徴とするものである。
【００１０】
これにより、架橋部を両中間本体部の、筒周方向に相隣り合う筒周方向端縁部の筒軸方向両端部の間にそれぞれ架設しているので、中間体が筒軸方向両端部にて筒周方向全体に亘ってそれぞれ連続する。このため、架橋部を両中間本体部の、筒周方向に相隣り合う筒周方向端縁部の間にそれぞれ１つずつ設けている場合と比較して、中間体が金型内でより倒れにくくなり、金型を一層型締めしやすくなる。
【００１１】
また、架橋部を両中間本体部の、筒周方向に相隣り合う筒周方向端縁部の筒軸方向両端部の間にそれぞれ架設しているので、外筒体を筒径方向内側に絞ることにより、各架橋部を該各架橋部に対応する各外側孔部側に突出するように折り曲げると、架橋部を両中間本体部の、筒周方向に相隣り合う筒周方向端縁部の間にそれぞれ１つずつ設けている場合と比較して、確実に各中間本体部が筒径方向内側に移動する。このため、ゴム弾性体の中間体よりも筒径方向内側部分に予圧縮を確実かつ十分に付与できる。
【００１２】
第３の発明は、上記第１又は２の発明において、上記ゴム弾性体の上記中間体よりも筒径方向内側部分には、上記各架橋部に対応する部分に内側孔部がそれぞれ形成されていることを特徴とするものである。
【００１３】
これにより、ゴム弾性体の中間体よりも筒径方向内側部分に、各架橋部に対応する部分に内側孔部をそれぞれ形成しているので、こじり剛性を低くできる。
【００１４】
第４の発明は、内筒体と、該内筒体の周囲にこれと同軸に設けられた外筒体と、該両筒体の間に設けられたゴム弾性体と、該ゴム弾性体に筒径方向に互いに対向しかつ筒周方向に延びるようにそれぞれ埋設された一対の中間本体部を有する中間体とを備えた防振ブッシュの製造方法であって、上記中間体として、上記両中間本体部に加えて、該両中間本体部の、筒周方向に相隣り合う筒周方向端縁部の間に筒周方向に延びるようにそれぞれ架設された架橋部をさらに有するものを用意し、金型に上記内筒体、上記中間体、及び上記外筒体をそれぞれセットした状態で上記中間体よりも筒径方向外側部分における上記各架橋部に対応する部分に外側孔部を有するゴム弾性体を加硫成形し、上記外筒体を筒径方向内側に絞ることにより、上記各架橋部を該各架橋部に対応する各外側孔部側に突出するように折り曲げることを特徴とするものである。
【００１５】
これにより、上記第１の発明と同様の作用・効果が得られる。
【発明の効果】
【００１６】
本発明によれば、中間体の両中間本体部の、筒周方向に相隣り合う筒周方向端縁部の間に架橋部を筒周方向に延びるようにそれぞれ架設しているので、中間体が筒軸方向の一部にて筒周方向全体に亘って繋がり、このため、中間体が金型内で倒れにくくなり、金型を型締めしやすくなる。
【００１７】
また、外筒体を筒径方向内側に絞ることにより、ゴム弾性体の中間体よりも筒径方向外側部分に予圧縮を十分に付与でき、さらに、外筒体を筒径方向内側に絞ることにより、中間体の各架橋部を該各架橋部に対応する各外側孔部側に突出するように折り曲げると、中間体の各中間本体部が筒径方向内側に移動し、ゴム弾性体の中間体よりも筒径方向内側部分に予圧縮を十分に付与でき、以上から、ゴム弾性体に予圧縮を十分に付与できる。
【発明を実施するための最良の形態】
【００１８】
以下、本発明の実施形態を図面に基づいて詳細に説明する。
【００１９】
本発明の実施形態に係る防振ブッシュ１は、自動車のサスペンションブッシュとして用いられるものであり、図１、図２に示すように、円筒状の金属製内筒体１１と、この内筒体１１の周囲にこれと同軸に設けられた円筒状の金属製外筒体１２と、両筒体１１，１２の間に設けられてこれらを互いに連結するゴム弾性体１３と、このゴム弾性体１３に両筒体１１，１２と同軸に埋設されているとともに、筒径方向に互いに対向しかつ筒周方向に延びるようにそれぞれ配置された断面円弧状の一対の中間本体部１４ａ，１４ａを有する略円筒状の金属製中間体１４とを備えている。
【００２０】
上記内筒体１１は、筒軸方向長さが外筒体１２及び中間体１４よりも長く、自動車の車体（図示せず）に連結される。上記外筒体１２はサスペンションアームのブラケットの取付孔（図示せず）に嵌装される。
【００２１】
上記ゴム弾性体１３の中間体１４よりも筒径方向外側部分（以下、外側ゴム弾性体という）１３ａの筒軸方向両端面には、後述する各架橋部１４ｂに対応する部分に外側すぐり部（外側孔部）１３ｂが筒周方向に延びるようにそれぞれ形成されている。この各外側すぐり１３ｂの筒軸方向の深さ位置は、各架橋部１４ｂの筒軸方向内側端縁の筒軸方向位置よりも若干筒軸方向内側に位置している。各外側すぐり部１３ｂは、外筒体１２を筒軸方向全体に亘って筒径方向内側に絞る前の状態では、幅（筒径方向長さ）がほぼ一定であるが（図３を参照）、外筒体１２に絞り加工を施すと、各架橋部１４ｂの屈曲（この詳細については後述する）により筒径方向外側に押し潰される。
【００２２】
ゴム弾性体１３の中間体１４よりも筒径方向内側部分（以下、内側ゴム弾性体という）１３ｃの筒軸方向両端面には、各架橋部１４ｂに対応する部分に内側すぐり部（内側孔部）１３ｄが筒周方向に延びるようにそれぞれ形成されている。この各内側すぐり部１３ｄの筒軸方向の深さ位置は、各架橋部１４ｂの筒軸方向内側端縁の筒軸方向位置よりもいくらか筒軸方向内側に位置している。各内側すぐり部１３ｄは、外筒体１２を筒径方向内側に絞る前の状態では、幅がほぼ一定であるが（図３を参照）、外筒体１２に絞り加工を施すと、各架橋部１４ｂの屈曲により筒径方向外側に引き伸ばされる。
【００２３】
上記中間体１４は、上記両中間本体部１４ａ，１４ａに加えて、この両中間本体部１４ａ，１４ａの、筒周方向に相隣り合う筒周方向端縁部の筒軸方向両端部の間に筒周方向に延びるようにそれぞれ１つずつ一体架設された架橋部１４ｂ，…をさらに有している（図５を参照）。すなわち、架橋部１４ｂは、一方の中間本体部１４ａの筒周方向一端部とこの一端部と筒周方向に隣接する、他方の中間本体部１４ａの筒周方向一端部との間（図５の手前側の端部の間）、及び一方の中間本体部１４ａの筒周方向他端部とこの他端部と筒周方向に隣接する、他方の中間本体部１４ａの筒周方向他端部との間（図５の奥側の端部の間）にて、その筒軸方向両端部にそれぞれ１つずつ掛け渡されている。この各架橋部１４ｂは、幅が中間本体部１４ａの筒軸方向長さよりもかなり小さく、外筒体１２を筒径方向内側に絞る前の状態（後述する金型にセットされる前の状態）では、筒軸方向視円弧状である（図３、図５を参照）。言い換えると、中間体１４は、外筒体１２に絞り加工を施す前の状態では、筒径方向の互いに対向する部分に一対の略矩形状窓部１４ｃ，１４ｃが形成された円筒状の筒体である。各架橋部１４ｂは、外筒体１２が絞られると座屈して、筒周方向中央部にて該各架橋部１４ｂに対応する各外側すぐり部１３ｂ側に突出するように折れ曲がる。つまり、各架橋部１４ｂは、筒周方向中心部にて筒径方向外側に山折りされる。この各屈曲部１４ｂの屈曲により、両中間本体部１４ａ，１４ａが筒軸方向全体に亘ってこれらの対向方向内側に移動して、外筒体１２に絞り加工を施す前の状態よりも互いに近付く。
【００２４】
そして、上記防振ブッシュ１では、中間体１４の各中間本体部１４ａを上述のように配置することにより、両中間本体部１４ａ，１４ａの対向方向の、筒軸直交方向のばね剛性を高くしており、外側及び内側すぐり部１３ｂ，１３ｄを上述のように配設することにより、こじり剛性を低くしている。
【００２５】
−防振ブッシュの製造方法−
以下、図１〜図４を参照しながら、防振ブッシュ１を製造する方法について説明する。
【００２６】
まず、筒軸方向に２分割されたゴム成形用の金型（図示せず）に内筒体１１、外筒体１２及び中間体１４をそれぞれ所定位置にセットした状態で、外側ゴム弾性体１３ａにおける各架橋部１４ｂに対応する部分に外側すぐり部１３ｂ，…を、内側ゴム弾性体１３ｃにおける各架橋部１４ｂに対応する部分に内側すぐり部１３ｄ，…をそれぞれ有するゴム弾性体１３を加硫成形する。すると、図３、図４に示すように、内筒体１１、外筒体１２及び中間体１４にゴム弾性体１３が一体モールド成形されてなる半製品２ができる。
【００２７】
半製品２の出来上がり後、外筒体１２を筒軸方向全体に亘って筒径方向内側に絞ると、図１、図２に示すように、中間体１４の各架橋部１４ｂが該各架橋部１４ｂに対向する各外側孔部１３ｂ側に突き出るように折れ曲がる。外筒体１２に絞り加工を施すと各架橋部１４ｂが筒径方向外側に屈曲するのは、外筒体１２を絞る前の状態において各架橋部１４ｂが筒径方向外側に湾曲しているからである。そして、外筒体１２を筒径方向内側に絞ることにより、外側ゴム弾性体１３ａに十分な筒径方向の予圧縮を付与するとともに、中間体１４の各窓部１４ｃ（図５を参照）を介して内側ゴム弾性体１３ｂに筒径方向の予圧縮をかける。
【００２８】
各架橋部１４ｂが折れ曲がると、各外側すぐり部１３ｂが筒径方向外側に圧迫されて潰され、かつ、各内側すぐり部１３ｄが筒径方向外側に拡大されるとともに、各中間本体部１４ａが筒軸方向全体に亘って筒径方向内側に移動して、外筒体１２に絞り加工を施す前の状態よりも互いに近くなる。このように、両中間本体部１４ａがこれらの対向方向内側に移動することにより、内側ゴム弾性体１３ｃに筒径方向の予圧縮が十分に付与される。
【００２９】
以上のようにして、防振ブッシュ１が完成する。
【００３０】
−効果−
以上により、本実施形態によれば、中間体１４の両中間本体部１４ａ，１４ａの、筒周方向に相隣り合う筒周方向端縁部の筒軸方向両端部の間に架橋部１４ｂを筒周方向に延びるようにそれぞれ架設しているので、中間体１４が筒軸方向両端部にて筒周方向全体に亘って繋がる。このため、中間体１４が金型内で倒れにくくなり、金型を型締めしやすくなる。
【００３１】
また、外筒体１２を筒径方向内側に絞ることにより、外側ゴム弾性体１３ａに予圧縮を十分に付与できる。さらに、架橋部１４ｂを両中間本体部１４ａ，１４ａの、筒周方向に相隣り合う筒周方向端縁部の筒軸方向両端部の間にそれぞれ架設しているので、外筒体１２を筒径方向内側に絞ることにより、各架橋部１４ｂを該各架橋部１４ｂに対応する各外側すぐり部１３ｂ側に突出するように折り曲げると、各中間本体部１４ａが筒径方向内側に移動する。このため、内側ゴム弾性体１３ｃに予圧縮を十分に付与できる。以上から、ゴム弾性体１３に予圧縮を十分に付与できる。
【００３２】
内側ゴム弾性体１３ｃに、各架橋部１４ｂに対応する部分に内側すぐり部１３ｄをそれぞれ形成しているので、こじり剛性を低くできる。
【００３３】
（その他の実施形態）
上記実施形態では、架橋部１４ｂを両中間本体部１４ａの、筒周方向に相隣り合う筒周方向端縁部の筒軸方向両端部の間にそれぞれ１つずつ架設しているが、これに限らない。例えば、架橋部１４ｂを両中間本体部１４ａの、筒周方向に相隣り合う筒周方向端縁部の筒軸方向中央部の間にそれぞれ１つずつ掛け渡してもよい。この場合、外側すぐり部１３ｂを筒軸方向に貫通させる必要がある。また、架橋部１４ｂを両中間本体部１４ａの、筒周方向に相隣り合う一対の筒周方向端縁部の筒軸方向一端部の間、及びもう一組の筒周方向端縁部の筒軸方向他端部の間にそれぞれ１つずつ設けてもよい。ただし、金型を型締めしやすくし、ゴム弾性体１３に予圧縮を十分に付与する観点からは、両中間本体部１４ａの、筒周方向に相隣り合う筒周方向端縁部の筒軸方向両端部の間にそれぞれ１つずつ配設するのが望ましい。
【００３４】
上記実施形態では、架橋部１４ｂが座屈しやすくするため、例えば、架橋部１４ｂの筒周方向中央部に切欠きを形成してもよい。
【００３５】
上記実施形態では、外側すぐり部１３ｂや内側すぐり部１３ｄを筒軸方向に貫通させてもよい。
【００３６】
上記実施形態では、内側ゴム弾性体１３ｃの筒軸方向両端面に内側すぐり部１３ｄを形成しているが、これを設けなくてもよい。こうすると、内側すぐり部１３ｄがある場合と比較して、各架橋部１４ｂが折れ曲がりやすい。
【００３７】
本発明は、実施形態に限定されず、その精神又は主要な特徴から逸脱することなく他の色々な形で実施することができる。
【００３８】
このように、上述の実施形態はあらゆる点で単なる例示に過ぎず、限定的に解釈してはならない。本発明の範囲は特許請求の範囲によって示すものであって、明細書には何ら拘束されない。さらに、特許請求の範囲の均等範囲に属する変形や変更は、全て本発明の範囲内のものである。
【産業上の利用可能性】
【００３９】
以上説明したように、本発明にかかる防振ブッシュ及びその製造方法は、金型を型締めしやすくするとともにゴム弾性体に予圧縮を十分に付与する用途等に適用できる。
【図面の簡単な説明】
【００４０】
【図１】本発明の実施形態に係る防振ブッシュの平面図である。
【図２】図１のII−II線の矢視断面図である。
【図３】半製品の平面図である。
【図４】図３のIV−IV線の矢視断面図である。
【図５】金型にセットされる前の状態における中間体の斜視図である。
【符号の説明】
【００４１】
１      防振ブッシュ
１１    内筒体
１２    外筒体
１３    ゴム弾性体
１３ａ  外側ゴム弾性体
１３ｂ  外側すぐり部（外側孔部）
１３ｃ  内側ゴム弾性体
１３ｄ  内側すぐり部（内側孔部）
１４    中間体
１４ａ  中間本体部
１４ｂ  架橋部
１４ｃ  窓部
【図１】
2009002493.tif 000003
【図２】
2009002493.tif 000004
【図３】
2009002493.tif 000005
【図４】
2009002493.tif 000006
【図５】
2009002493.tif 000007